(57)【要約】【課題】吊り下げられた遮蔽カーテンの開放と揺り戻しによる種々のトラブルを抑えることのできる新たな遮蔽カーテンとそれを備えたＸ線検査装置とを提供する。【解決手段】水平な支持部材２から吊り下げられた短冊状の複数のカーテン片３の中程に、水平方向に各カーテン片３を一体的に連結する上下動可能な連結部材４を取り付けて、遮蔽カーテン１の揺動する範囲を連結部材４から下方のカーテン片３に制限することにより、カーテン片３の無用な揺動を抑える。【選択図】図４
2014092410.tif 000002
【特許請求の範囲】
【請求項１】
搬送される物品に対してＸ線を照射する検査室の出入口に設けられる、検査室からのＸ線の漏洩を防止する遮蔽カーテンであって、前記遮蔽カーテンは、水平な支持部材から吊り下げられた、互いに連接する複数の短冊状のカーテン片を備え、前記物品がそれらのカーテン片を押しのけて通過するときに開放されるカーテン片に対して、それらの開放による揺動運動を、前記支持部材を中心とした揺動運動から、それより下方の位置を中心とした揺動運動に変換する連結部材を取り付けたことを特徴とする遮蔽カーテン。
【請求項２】
前記遮蔽カーテンは、水平な支持部材から吊り下げられた、互いに連接する複数の短冊状のカーテン片と、それらのカーテン片の中程を水平方向に一体的に連結する上下動可能な連結部材とを備えていることを特徴とする請求項１に記載の遮蔽カーテン。
【請求項３】
前記連結部材が前記カーテン片をその表裏から挟んで固定する一対のプレートを備え、それらのプレートの内、前記物品が進入してくる側のプレートの下端縁が反対側プレートの下端縁よりも下方に位置して、前記物品が進入してくる側のプレートが前記カーテン片の揺り戻しを規制することを特徴とする請求項２に記載の遮蔽カーテン。
【請求項４】
搬送される物品にＸ線を照射して検査する検査室を有するＸ線検査装置であって、前記検査室の出入口に請求項１又は２に記載の遮蔽カーテンが複数セット設けられているＸ線検査装置。
【発明の詳細な説明】
【技術分野】
【０００１】
この発明は、搬送される物品にＸ線を照射して、搬送物品の異物混入の有無や包装された物品の割れ欠け等の品質検査を行うＸ線検査装置のＸ線遮蔽カーテンに関する。
【背景技術】
【０００２】
工業用のＸ線検査装置は、外観からは検査できない加工食品等への異物混入や、包装された商品（以下、加工食品等や包装商品を総称して物品という。）の割れ欠け等を検査する装置として広く利用されているが、こうした装置のＸ線検査室に物品を出し入れする出入口には、Ｘ線の漏洩を防止するＸ線遮蔽カーテン（以下、遮蔽カーテンという。）が設けられている。この遮蔽カーテンに関する特許出願としては、例えば、下記特許文献に開示されたものが知られている。
【先行技術文献】
【特許文献】
【０００３】
【特許文献１】特開平１１−１６０４８７号公報
【特許文献２】特開２０１２−１５９３５５号公報
【発明の概要】
【発明が解決しようとする課題】
【０００４】
ところが、この種の遮蔽カーテンは、鉛やタングステン等を含有したゴムシートで構成され、それ自体が重たくなっているから、次のような問題が指摘されていた。例えば、物品の搬送ピッチと遮蔽カーテンの揺動周期が合致すると、図１に示すように、先行物品Ｇ１によって跳ね上げられた遮蔽カーテンＳＣが揺り戻しによって後続物品Ｇ２と衝突し、それによって後続物品Ｇ２の姿勢や搬送ピッチが乱れたり、傷付いたりする問題があった。
【０００５】
また、図２に示すように、搬送方向長さが長い物品Ｇ３であると、遮蔽カーテンＳＣが物品Ｇ３に引きずられてより長い時間ｔ、開放状態となるので、開放された遮蔽カーテンＳＣからＸ線が漏洩する危険性が高まるという問題があった。
【０００６】
こうした問題を解決するために、例えば、図３に示すように、出入口の高さを低くし、遮蔽カーテンＳＣの垂れる長さも短くして、揺動周期を短くしたり、開放された遮蔽カーテンＳＣからのＸ線の漏洩を抑止したりすることが考えられるが、そうすると、高さの高い物品Ｇ４には対応できない問題が生じる。
【０００７】
この発明は、こうした問題を解決することのできる、新たな遮蔽カーテンとそれを備えたＸ線検査装置とを提供することを課題とする。
【課題を解決するための手段】
【０００８】
この発明に係る遮蔽カーテンは、搬送される物品に対してＸ線を照射する検査室の出入口に設けられて、検査室からのＸ線の漏洩を防止する遮蔽カーテンであって、前記遮蔽カーテンは、水平な支持部材から吊り下げられた、互いに連接する複数の短冊状のカーテン片を備え、前記物品がそれらのカーテン片を押しのけて通過するときに開放されるカーテン片に対し、それらの開放による揺動運動を、前記支持部材を中心とした揺動運動から、それより下方の位置を中心とした揺動運動に変換する連結部材を取り付けたことを特徴とする。
【０００９】
図４は、この発明を説明するための説明図で、遮蔽カーテン１は、水平な支持部材２から吊り下げられた、互いに連接する複数の短冊状のカーテン片３で構成される。そして、それらのカーテン片３の中程には、それらを一体的に水平方向で連結する連結部材４が取り付けられる。
【００１０】
これにより、連結部材４で一体的に連結された短冊状のカーテン片３は、連結部材４から支持部材２までのカーテン片３が一体化されたものとなるから、物品Ｇが遮蔽カーテン１を潜り抜けるときには、連結部材４より下方のカーテン片３のみが、連結部材４を中心として揺動することになる。
【００１１】
したがって、連結部材４の取り付け位置を、物品Ｇの高さより少し高い位置に設定しておけば、そこから垂れるカーテン片３の長さが短くなるから、物品Ｇが遮蔽カーテン１を押し上げるときに形成される物品Ｇと遮蔽カーテン１との間の開放空間がより小さくなって、そこからのＸ線の漏洩が抑制される。また、カーテン片３の揺動部分が短くなると、その揺動周期が短くなるから、跳ね上げられた遮蔽カーテン１が揺り戻しによって後続物品Ｇと衝突する機会も減少する。さらに、揺り戻しの遮蔽カーテン１が後続物品Ｇに衝突したとしても、遮蔽カーテン１の揺動部分が相対的に軽くなるから、それによる後続物品Ｇの姿勢や搬送ピッチを乱したり、傷つけたりするリスクも低減する。
【００１２】
連結部材４は、遮蔽カーテン１の全幅に亘る長さのものや、物品Ｇの横幅Ｗより若干長めのものを用いて、図４に示すように水平に取り付けられる。また、物品Ｇの横断面形状に応じて、図５に示すように、アーチ型や山型等の連結部材を用意し、それをカーテン片３に取り付けても良い。また、この連結部材４のカーテン片３への取り付けは、例えば、図６に示すように、遮蔽カーテン１を表裏から挟む一対のプレート４１，４２と、それらを着脱自在に連結するボルト４３とナット４４とで構成して、連結部材４をカーテン片３に沿って上下移動可能としておく。これにより、物品Ｇの高さに応じて取り付け位置を調整することができる。
【００１３】
さらに、物品Ｇが進入してくる側のプレート４１の下端縁が、反対側のプレート４２の下端縁よりも下方に位置するように、各プレート４１，４２の上下方向の幅を調整しておけば、カーテン片３の揺り戻しをプレート４１で規制することができるから、カーテン片３の揺り戻しによる後続物品との衝突機会をより少なくすることができる。
【００１４】
また、この発明に係るＸ線検査装置は、搬送される物品にＸ線を照射して検査する検査室を有するＸ線検査装置であって、その検査室の出入口に前述の遮蔽カーテンを複数セット設けたことを特徴とする。
【発明の効果】
【００１５】
この発明によれば、物品が遮蔽カーテンを潜る際に、物品と遮蔽カーテンとの間に形成される開放空間がより小さくなるから、そこからのＸ線の漏洩が抑制される。また、遮蔽カーテンの揺動部分の高さを物品の高さに合わせて調整できるから、その揺動部分の周期を短くして、揺り戻しのカーテン片が後続物品と衝突する機会を減らすことができる。さらに、揺り戻しのカーテン片が、後続物品と衝突したとしても、遮蔽カーテンの揺動部分が相対的に軽くなるから、それによる後続物品の姿勢や搬送ピッチの乱れおよび物品自体に与えるダメージ等を抑えることができる。
【図面の簡単な説明】
【００１６】
【図１】従来の遮蔽カーテンの問題点を説明する説明図。
【図２】同じく従来の遮蔽カーテンの問題点を説明する説明図。
【図３】遮蔽カーテンの位置を下げた場合の従来の問題点を説明する説明図。
【図４】この発明の構成を説明する外観斜視図。
【図５】この発明の他の構成を示す外観斜視図。
【図６】この発明の構成要素である連結部材の構成を示す側面図。
【図７】この発明の一実施形態に係るＸ線検査装置の外観斜視図。
【図８】前記Ｘ線検査装置の要部の構成を示す要部斜視図。
【図９】連結部材の他の実施形態を示す側面図。
【発明を実施するための形態】
【００１７】
以下、この発明の一実施形態を図面に基づいて説明する。
【００１８】
図７は、この発明の一実施形態に係るＸ線検査装置の外観斜視図を示す。この図７において、Ｘ線検査装置１０は、入口１１と出口１２を有する検査室１３と、入口１１から出口１２に亘って掛け渡された搬送手段１４と、入口１１と出口１２からのＸ線の漏洩を防止する遮蔽カーテン１と、搬送手段１４の上方から検査室１３内にＸ線を照射するＸ線照射手段１５と、搬送手段１４の上下のベルト間に設けられて、物品Ｇを透過したＸ線を検出するラインセンサ１６と、これらを収納する筐体１７と、筐体１７の前面に設けられたタッチパネル１８と、筐体１７を支持する４本の支持脚１９とを備えている。
そして、前記筐体１７は、検査室１３の入口１１と出口１２を除いて外部にＸ線が漏洩しない構造となっているが、遮蔽カーテン１を除く各部の構成は、周知であるから、ここではそれらの詳細な説明は省略する。
【００１９】
図８は、検査室１３内の主要部の配置構成例を示したもので、搬送手段１４は、入口１１側のプーリ２１と、出口１２側のプーリ２２と、ラインセンサ１６の下方に配置された前後のプーリ２３，２４と、それらのプーリ２１〜２４間に掛け渡されたエンドレスベルト２５と、出口１２側プーリ２２を回転させる図示しないモータとで構成されている。また、遮蔽カーテン１は、入口１１側と出口１２側に、それぞれ物品Ｇの搬送方向Ｙに沿って複数セット配置されるが、そのセット数は、必要に応じて増減される。
なお、ここで前後とは、物品Ｇの搬送方向Ｙの下流側を前、上流側を後ろとしている。
【００２０】
図６に戻って、連結部材４は、物品Ｇが進入してくる側の後ろ側プレート４１と、反対側の前側プレート４２と、これらのプレート４１，４２を連結固定するボルト４３とナット４４とで構成されるが、連結部材４の取り付け位置を頻繁に変えたい場合は、これらのボルト４３、ナット４４による締結に代えて、両プレート４１，４２の一端をヒンジで連結し、開放された他端には、両プレート４１，４２を連結するロック機構を取り付けて、鋏のように開放させた両プレート４１，４２間に遮蔽カーテン１を前後から挟み込んでロック機構で連結固定するようにしても良い。
【００２１】
後ろ側プレート４１の下半部分は、前側プレート４２より下方に飛び出すように幅広に形成されて、カーテン片３の揺れ戻しを規制するようになっている。また、図６においては、前側プレート４２の横断面形状をＬ字型にして、曲げ強度を強化しているが、単なる扁平な板材であっても良い。また、各プレート４１，４２には、カーテン片３の配列ピッチと一致させた間隔で貫通孔が複数形成されており、その貫通孔をカーテン片３とカーテン片３の間のスリットに一致させてから、そこにボルト４３を挿通すれば、ボルト４３の先端が前側プレート４２の貫通孔から飛び出し、そこにナット４４でボルト４３を締め付ければ、連結部材４を遮蔽カーテン１に対し任意の高さで固定できるようになっている。
【００２２】
図９は、連結部材４の他の実施形態を示したもので、この実施形態では、物品が進入してくる側の後ろ側プレート４１の下半部分を前方側へ傾斜させて、その横断面形状がへの字となるようにしている。このように成形しておけば、物品Ｇがカーテン片３に当たるときは、揺動するカーテン片３は、距離Ｌだけ短くなっているから、物品Ｇはカーテン片３を簡単に持ち上げることができるし、跳ね上げられたカーテン片３が揺れ戻るときは、後ろ側プレート４１がカーテン片３の揺れ戻しを規制するので、後続物品との衝突の機会が減少する。この場合においても、前側プレート４２が単なる扁平な板材であっても良い。
【００２３】
以上、この発明の一実施形態を説明したが、この発明は、これに限定されるものではなく、特許請求の範囲に記載した範囲内で種々の形態も採用可能である。例えば、この実施形態に係る遮蔽カーテンは、鉛やタングステン等を含有したゴムシートで構成されるが、これに代えて、各カーテン片を、ステンレスで形成された小さな矩形の板を鎖のように連結して短冊状となしたものであっても良い。また、それ以外のＸ線を遮蔽する材質を使用した遮蔽カーテンであっても良い。
【符号の説明】
【００２４】
１        遮蔽カーテン
２        支持部材
３        カーテン片
４        連結部材
１０        Ｘ線検査装置
１１        入口
１２        出口
１３        検査室
【図１】
2014092410.tif 000003
【図２】
2014092410.tif 000004
【図３】
2014092410.tif 000005
【図４】
2014092410.tif 000006
【図５】
2014092410.tif 000007
【図６】
2014092410.tif 000008
【図７】
2014092410.tif 000009
【図８】
2014092410.tif 000010
【図９】
2014092410.tif 000011